(57)【要約】      （修正有）【課題】リラックスできるとともに利用者の作業性および着席・離席の容易性を確保できる椅子を提供する。【解決手段】椅子１１は、座面１２と背もたれ１３とを有する椅子本体１４と、前記背もたれの後方を覆う背部１５と、前記背部の横方向における両端部から延びて前記椅子本体の側方を覆う一対の側部１６と、を有するパーティション部１７と、前記一対の側部のいずれか一方の近傍に設けられ、前記背もたれに対向した第１位置Ｐ１と、前記背もたれから離間した第２位置と、の間で回動可能な机部２１と、を備える。【選択図】図１
0003234095.tif 000002
【実用新案登録請求の範囲】
【請求項１】
座面と背もたれとを有する椅子本体と、
前記背もたれの後方を覆う背部と、前記背部の横方向における両端部から延びて前記椅子本体の側方を覆う一対の側部と、を有するパーティション部と、
前記一対の側部のいずれか一方の近傍に設けられ、前記背もたれに対向した第１位置と、前記背もたれから離間した第２位置と、の間で回動可能な机部と、
を備える椅子。
【請求項２】
前記座面は、前記背部に近づくにつれてその設置高さが低くなるように斜めに設置される請求項１に記載の椅子。
【請求項３】
前記机部は、前記一対の側部のいずれか一方から遠ざかるにつれて前記机部の長手方向と交差する幅方向に関する寸法が小さくなる請求項１又は請求項２に記載の椅子。
【請求項４】
前記椅子本体および前記パーティション部を支持するフレーム部と、
前記フレーム部を支持する第１部分と、前記フレーム部よりも上方に突出するとともに前記一対の側部の外側に当接した第２部分と、を有する一対の脚部と、
を備える請求項１〜３のいずれか１項に記載の椅子。
【請求項５】
前記フレーム部に載置され、前記背部の内側と前記一対の側部の内側とに当接するとともに前記椅子本体を直接支持する略方形の基板を備える請求項１〜４のいずれか１項に記載の椅子。
【請求項６】
前記机部よりも前記背部側で固定的に設けられた第２机部であって、前記机部の頂面と面一になった第２頂面を有する第２机部を備える請求項１〜５のいずれか１項に記載の椅子。
【請求項７】
前記第２机部は、前記背部とは反対側の位置に、飲料を起立状態で保持可能なホルダ部を有する請求項６に記載の椅子。
【請求項８】
前記第２机部は、前記机部に対向する位置に湾曲面を有し、
前記机部は、前記湾曲面に沿った円弧面を有し、前記円弧面の中央部を中心に水平面内で回動自在である請求項６又は請求項７に記載の椅子。
【請求項９】
前記第２机部は、電源コンセントを有する請求項６〜８のいずれか１項に記載の椅子。
【請求項１０】
前記パーティション部のうち少なくとも前記背部は、クッション性のある素材で構成される請求項１〜９のいずれか１項に記載の椅子。
【請求項１１】
前記パーティション部の前記一対の側部は、クッション性のある素材で構成される請求項１〜１０のいずれか１項に記載の個室風椅子。
【考案の詳細な説明】
【技術分野】
【０００１】
本考案は、個室にいるような使用感が得られる椅子に関する。
【背景技術】
【０００２】
パーテーションに折り畳みテーブルを取り付けた折り畳みテーブルの天板ロック機構が開示されている（例えば、特許文献１参照）。この折り畳みテーブルにおいて、天板は係止軸を有する。側パネルには係合溝を有する受け部材を有する。係合溝は、係止軸を受け入れる開口部と、係止軸の移動を拘束する水平溝と、を有する。天板が略水平状態にあるときに、係止軸が水平溝内のロック位置と開口部のロック解除位置に水平移動するようになっている。
【先行技術文献】
【特許文献】
【０００３】
【特許文献１】特開２００２−２８２０４９号公報
【考案の概要】
【考案が解決しようとする課題】
【０００４】
使用者からみて正面側（テーブルよりも奥側とテーブルの側方）にパーテーションを設置した場合に、事務作業時には正面方向の視界を遮ることができるために、作業に集中することが可能となる。しかしながら、リラックスしたい場合には、当該パーテーションの配置が必ずしも適切でない場合がある。
本考案の目的は、リラックスできるとともに利用者の作業性および着席・離席の容易性を確保できる椅子を提供することにある。
【課題を解決するための手段】
【０００５】
上記課題は、以下の本考案により解決される。すなわち、本考案（１）の椅子は、
座面と背もたれとを有する椅子本体と、
前記背もたれの後方を覆う背部と、前記背部の横方向における両端部から延びて前記椅子本体の側方を覆う一対の側部と、を有するパーティション部と、
前記一対の側部のいずれか一方の近傍に設けられ、前記背もたれに対向した第１位置と、前記背もたれから離間した第２位置と、の間で回動可能な机部と、
を備える。
【０００６】
また、本考案（２）の椅子は、（１）記載の椅子であって、
前記座面は、前記背部に近づくにつれてその設置高さが低くなるように斜めに設置される。
【０００７】
また、本考案（３）の椅子は、（１）又は（２）に記載の椅子であって、
前記机部は、前記一対の側部のいずれか一方から遠ざかるにつれて前記机部の長手方向と交差する幅方向に関する寸法が小さくなる。
【０００８】
また、本考案（４）の椅子は、（１）〜（３）のいずれか１項に記載の椅子であって、
前記椅子本体および前記パーティション部を支持するフレーム部と、
前記フレーム部を支持する第１部分と、前記フレーム部よりも上方に突出するとともに前記一対の側部の外側に当接した第２部分と、を有する一対の脚部と、
を備える。
【０００９】
また、本考案（５）の椅子は、（１）〜（４）のいずれか１項に記載の椅子であって、
前記フレーム部に載置され、前記背部の内側と前記一対の側部の内側とに当接するとともに前記椅子本体を直接支持する略方形の基板を備える。
【００１０】
また、本考案（６）の椅子は、（１）〜（５）のいずれか１項に記載の椅子であって、
前記机部よりも前記背部側で固定的に設けられた第２机部であって、前記机部の頂面と面一になった第２頂面を有する第２机部を備える。
【００１１】
また、本考案（７）の椅子は、（６）に記載の椅子であって、
前記第２机部は、前記背部とは反対側の位置に、飲料を起立状態で保持可能なホルダ部を有する。
【００１２】
また、本考案（８）の椅子は、（６）又は（７）に記載の椅子であって、
前記第２机部は、前記机部に対向する位置に湾曲面を有し、
前記机部は、前記湾曲面に沿った円弧面を有し、前記円弧面の中央部を中心に水平面内で回動自在である。
【００１３】
また、本考案（９）の椅子は、（６）〜（８）のいずれか１項に記載の椅子であって、
前記第２机部は、電源コンセントを有する。
【００１４】
また、本考案（１０）の椅子は、（１）〜（９）のいずれか１項に記載の椅子であって、
前記パーティション部のうち少なくとも前記背部は、クッション性のある素材で構成される。
【００１５】
また、本考案（１１）の椅子は、（１）〜（１０）のいずれか１項に記載の椅子であって、
前記パーティション部の前記一対の側部は、クッション性のある素材で構成される。
【考案の効果】
【００１６】
本考案によれば、リラックスできるとともに利用者の作業性および着席・離席の容易性を確保できる椅子を提供できる。
【図面の簡単な説明】
【００１７】
【図１】第１実施形態の椅子を示す斜視図である。
【図２】図１に示す椅子を上方から示し、且つ机部が第１位置にある状態を示す上面図である。
【図３】図１に示す椅子を正面から示す正面図である。
【図４】図１に示す椅子を右方向から示す右側面図である。
【図５】図１に示す椅子を下方から示す斜視図である。
【図６】図２に示す椅子のＦ６−Ｆ６に沿った断面図である。
【図７】図１に示すように椅子において、机部を第１位置から第２位置に移動させた状態を示す上面図である。
【図８】第２実施形態の椅子を示す斜視図である。
【図９】図８に示す椅子を上方から示し、且つ机部が第１位置にある状態を示す上面図である。
【図１０】図８に示す椅子において、机部を第１位置から第２位置に移動させた後の状態を示す斜視図である。
【図１１】図９に示す椅子において、机部を第１位置から第２位置に移動させた後の状態を示す斜視図である。
【考案を実施するための形態】
【００１８】
以下図面を参照して、椅子の実施形態について説明する。本考案の椅子は、利用者の後方および側方にパーティション部を有し、利用者が個室にいるような雰囲気の下でリラックスした状態で着席可能であり、その状態で飲料を飲んだり、本を読んだり、或いはスマートフォンでウェブサイトの閲覧をしたりすることが可能なものである。
［第１実施形態］
【００１９】
椅子は、いわゆるソファとして構成され、利用者がリラックス状態で深く腰掛けることができる。図１〜図６に示すように、椅子１１は、座面１２と背もたれ１３とを有する椅子本体１４と、椅子本体１４の周囲を取り囲む背部１５および一対の側部１６を有するパーティション部１７と、背もたれ１３に対向した第１位置Ｐ１と背もたれ１３から離間した第２位置Ｐ２との間で回動可能な机部２１と、机部２１よりも背部１５側に設けられた第２机部２２と、椅子本体１４およびパーティション部１７を支持するフレーム部２３と、フレーム部２３を支持する一対の脚部２４と、フレーム部２３上に載置された略方形の基板２５と、一対の側部１６のいずれか一方に固定された支持フレーム２６と、支持フレーム２６に取り付けられ机部２１を回動可能に支持する回転軸２７と、を備える。机部２１および第２机部２２は、正面方向から見て椅子本体１４の左側に配置されているが、正面方向から見て椅子本体１４の右側に配置されていてもよい。
【００２０】
椅子本体１４の座面１２および背もたれ１３は、いずれも弾性のあるクッションで形成されている。図６に示すように、背もたれ１３は、座面１２に対して固定されているが、座面１２から分離して設けられていてもよい。座面１２は、背部１５に近づくにつれてその設置高さが低くなるように斜めに設置される。椅子本体１４は、基板２５に対して固定されていてもよいし、基板２５に対して固定されずに基板２５上に載置されるだけでもよい。
【００２１】
図２に示すように、パーティション部１７は、上方から見て「Ｕ」字状又は「コ」字状に形成されている。パーティション部１７は、椅子本体１４の周囲を取り囲むように設けられている。パーティション部１７は、椅子本体１４の後背部に設けられ背もたれ１３側を覆う背部１５と、背部１５の横方向における両端部から前方に向けて延びて椅子本体１４の側方を覆う一対の側部１６と、を有する。一対の側部１６は、正面から見て左側に設けられる左側部１６Ａと、正面から見て右側に設けられる右側部１６Ｂと、を有する。背部１５および一対の側部１６のそれぞれは、クッション性のある素材で構成されている。背部１５および一対の側部１６のそれぞれは、木製の板材（芯材）の両面に例えば、軟質の発泡ウレタンを吹き付けることでクッション性が確保されている。また、軟質の発泡ウレタンが吹き付けられた背部１５および一対の側部１６の最外面は、カバー（表皮）によって覆われている。パーティション部１７は、フレーム部２３に対してねじ止め等で固定されている。図４に示すように、パーティション部１７は、背部１５に近づくにつれてその設置高さが低くなるように斜めに設置されている。
【００２２】
図１〜図３に示すように、机部２１は、例えば、木製材料等によって平板状に形成されている。机部２１は、一対の側部１６のいずれか一方（例えば、左側部１６Ａ）の近傍に設けられている。机部２１は、円弧状をなした円弧面３１と、円弧面３１とは反対側に向けて突出する略台形をなした先端部３２と、を有する。机部２１（先端部３２）は、一対の側部１６のいずれか一方（例えば、左側部１６Ａ）から遠ざかるにつれて机部２１の長手方向Ｌと交差する幅方向Ｗに関する寸法が小さくなるように形成されている。机部２１は、円弧面３１の中央部（中心）において後述する回転軸２７に固定されている。したがって、机部２１は、円弧面３１の中央部に位置する回転軸２７回りに水平面内で回動可能である。
【００２３】
第２机部２２は、例えば、木製材料等によって平板状に形成されている。第２机部２２は、一対の側部１６のいずれか一方（例えば、左側部１６Ａ）に沿うように、基板２５に対して固定的に設けられている。第２机部２２の第２頂面は、机部２１の頂面と面一に形成されている。このため、机部２１と第２机部２２との間の境界が滑らかとなり、机部２１および第２机部２２の境界から物が落下してしまうことなどが防止される。
【００２４】
第２机部２２は、背部１５側に設けられた電源コンセント３３と、背部１５とは反対側（前側）に設けられたホルダ部３４と、机部２１の円弧面３１に対向する位置に設けられる湾曲面３５と、を有する。ホルダ部３４は、飲料を入れたカップやボトルを起立状態で保持することができる。電源コンセント３３は、利用者の邪魔にならない位置に設置され、これ介してスマートフォン等を充電することができる。湾曲面３５は、円弧面３１に沿って湾曲するように形成されている。第２机部２２は、支持フレーム２６に対して固定されている。
【００２５】
図３、図５、図６に示すように、支持フレーム２６は、略Ｌ字形をなすように形成されたフレーム本体４１と、フレーム本体４１の上側に載置固定された円盤形の支持用テーブル４２と、支持用テーブル４２の中央部に設けられ且つその位置で自転可能な回転軸２７と、基板２５に対してフレーム本体４１を固定している一対の支柱４３と、を有する。フレーム本体４１は、例えばスチール製の棒材を溶接等でＬ字形に接合して形成されている。支持用テーブル４２は、例えば、木製材料等によって形成されている。
【００２６】
図５に示すように、フレーム部２３は、略方形の枠状に形成されている。フレーム部２３は、例えばスチール製の棒材を溶接等によって方形に枠組みして形成されている。フレーム部２３は、その内側に渡された補強用の梁２３Ａを適宜に有していてもよい。梁２３Ａは、例えばスチール製の棒材によって形成されている。
【００２７】
図４、図５に示すように、一対の脚部２４のそれぞれは、フレーム部２３を支持する第１部分４４と、フレーム部２３よりも上方に突出するとともに一対の側部１６の外側に当接した第２部分４５と、を有する。一対の脚部２４の第１部分４４および第２部分４５は、溶接等によってフレーム部２３と一体に形成されている。第１部分４４は、フレーム部２３から下方に突出した一対の脚４４Ａ（前脚、後脚）を有する。第２部分４５は、第１部分４４の一対の脚４４Ａを上方に向けて延長するように形成された一対の延長部４６と、一対の延長部４６同士を連結した連結部４７と、を有する。
【００２８】
図１、図３、図６に示すように、基板２５は、例えば、木製材料によって方形板状に形成されている。基板２５は、背部１５の内側と一対の側部１６の内側とに当接する。基板２５は、椅子本体１４を直接支持している。基板２５は、背部１５に近づくにつれてその設置高さが低くなるように斜めに設置されている。このため、これの上側に設置された座面１２についても、同様に斜めに設置されている。基板２５は、フレーム部２３に対してねじ止め等で固定されている。
【００２９】
続いて、図１から図７を参照して、本実施形態の椅子１１の作用について説明する。
【００３０】
図１〜図６は、利用者が椅子１１に着席している状態を示している。図２、図６に示すように、机部２１は、背もたれ１３に対向した第１位置Ｐ１に配置されている。このとき、机部２１の先端部３２は、一対の側部１６のいずれか一方（例えば、左側部）から遠ざかるにつれて机部２１の長手方向Ｌと交差する幅方向Ｗに関する寸法が小さくなっている。このため、机部２１が第１位置Ｐ１にあるときに、机部２１の先端部３２の内側面が利用者の胴部と干渉してしまうことが回避される。座面１２は、背部１５に近づくにつれてその設置高さが低くなるように斜めに設置されているため、利用者が椅子１１に対して深く腰掛けることができる。パーティション部１７は、利用者の後背位置と、利用者の側部と、を取り囲むことができるため、利用者に安心感を与えることができ、椅子１１に腰掛けた状態で利用者がリラックスすることができる。また、パーティション部１７の背部１５および一対の側部１６のそれぞれは、発泡ウレタン等のクッション性のある素材で構成されるため、これらを延長された背もたれとすることができる。このため、利用者がこのパーティション部に頭をもたれかけることで、首を休ませることができ、利用者はさらにリラックスすることができる。
【００３１】
利用者は、この状態で、机部２１の上側に本を置いたり、メモを取ったり、或いはスマートフォンを用いてＷＥＢの閲覧をしたりすることができる。また、利用者は、第２机部２２をひじ掛けとして用いることができる。利用者は、椅子１１に着席した状態で、飲料を飲んだり、或いは、飲料が入ったカップやボトルを第２机部２２のホルダ部３４に差し入れてこれを固定したりすることができる。その際、ホルダ部３４が固定的な第２机部２２に設けられているため、机部２１を回動させる際に、利用者が誤って飲料をこぼしてしまう恐れがない。利用者は、さらに第２机部２２に設けられた電源コンセント３３を用いてスマートフォン等を充電することもできる。
【００３２】
利用者が離席したい場合には、手によって机部２１を前方に向けて押しやる。これによって、机部２１は、回転軸２７を中心に回動し、背もたれ１３に対向した第１位置Ｐ１から、図７に示す背もたれ１３から離間した第２位置Ｐ２に移動する。
【００３３】
図７に示すように、机部２１が第２位置Ｐ２に移動すると、椅子本体１４（座面１２）の前方にスペースが形成され、このスペースを介して利用者が離席することができる。利用者又は別の利用者が椅子１１に対して着席した場合には、利用者が手によって机部２１を第２位置Ｐ２から第１位置Ｐ１に回動させることで、使いやすい位置に机部２１を移動させることができる。これによって、利用者は、机部２１の上側に本を置いたり、メモを取ったり、或いはスマートフォンを用いてＷＥＢの閲覧をしたりすることができる。
【００３４】
なお、利用者が椅子１１から離席したり着席したりする際に、パーティション部１７の一部に手を掛ける場合がある。その場合でも、パーティション部１７の一対の側部１６の外側は、一対の脚部２４の第２部分４５によって外側に広がらないように押さえられている。パーティション部１７の一対の側部１６の内側には、基板２５が当接され、一対の側部１６が内側に移動しないようになっている。このため、パーティション部１７の一対の側部１６に対して、利用者の手を介して外側又は内側に向かう力がかかった場合でも、側部１６の一部に撓みを生じるものの、パーティション部１７の内部の板材に割れ等の破損を生じてしまうことが極力防止される。
【００３５】
本実施形態によれば、以下のことがいえる。椅子１１は、座面１２と背もたれ１３とを有する椅子本体１４と、背もたれ１３の後方を覆う背部１５と、背部１５の横方向における両端部から延びて椅子本体１４の側方を覆う一対の側部１６と、を有するパーティション部１７と、一対の側部１６のいずれか一方の近傍に設けられ、背もたれ１３に対向した第１位置Ｐ１と、背もたれ１３から離間した第２位置Ｐ２と、の間で回動可能な机部２１と、を備える。
【００３６】
この構成によれば、利用者の後方と側方とをパーティション部１７によって仕切ることができるため、利用者が安心感を得ることができ、これによって利用者が椅子１１に腰かけた状態でリラックスすることができる。また、利用者同士の間でソーシャルディスタンスを確保することもできる。机部２１は、第１位置Ｐ１で背もたれ１３に対向しているため、椅子１１に腰かけた利用者が読書やスマートフォンでウエブサイトの閲覧をする際の作業性を良好にすることができる。また、机部２１が第１位置Ｐ１と第２位置Ｐ２との間で回動可能となっているため、利用者が着席したり離席したりする際に、座面１２に対して近接した位置に配置された机部２１が邪魔になることなく、着席・離席動作を円滑に行うことができる。
【００３７】
この場合、座面１２は、背部１５に近づくにつれてその設置高さが低くなるように斜めに設置される。この構成によれば、椅子１１に対して利用者が深く腰掛けることができ、さらに大きなリラックス効果を得ることができる。
【００３８】
机部２１は、一対の側部１６のいずれか一方から遠ざかるにつれて机部２１の長手方向Ｌと交差する幅方向Ｗに関する寸法が小さくなる。この構成によれば、椅子１１に腰掛けた利用者の胴部に対して机部２１が干渉してしまうことを極力防止することができる。
【００３９】
椅子１１は、椅子本体１４およびパーティション部１７を支持するフレーム部２３と、フレーム部２３を支持する第１部分４４と、フレーム部２３よりも上方に突出するとともに一対の側部１６の外側に当接した第２部分４５と、を有する一対の脚部２４と、を備える。
【００４０】
この構成によれば、利用者が椅子１１に着席したり椅子１１から離席したりする際にパーティション部１７に手を掛けた際に、パーティション部１７が外側に広がるように力を受けた場合でも、第２部分４５によってパーティション部１７が過度に外側に開いてしまうことを防止できる。これによって、パーティション部１７が外側に広がって破損してしまうような事態を生じることを極力防止できる。
【００４１】
椅子１１は、フレーム部２３に載置され、背部１５の内側と一対の側部１６の内側とに当接するとともに椅子本体１４を直接支持する略方形の基板２５を備える。
【００４２】
この構成によれば、基板２５が背部１５の内側と一対の側部１６の内側とに当接するため、利用者が椅子１１に着席したり椅子１１から離席したりする際にパーティション部１７に手を掛けた際に、パーティション部１７が内側に移動するように力を受けた場合でも、第２部分４５によってパーティション部１７が過度に内側に傾いてしまうことを防止できる。これによって、パーティション部１７が内側に移動して破損してしまうような事態を生じることを極力防止できる。
【００４３】
椅子１１は、机部２１よりも背部１５側で一対の側部１６のいずれか一方に固定的に設けられた第２机部２２であって、机部２１の頂面と面一になった第２頂面を有する第２机部２２を備える。
【００４４】
この構成によれば、机部２１の頂面と面一になった第２頂面を有する第２机部２２が設けられるため、机部２１および第２机部２２周りの体裁を良好にすることができる。また、第２机部２２を固定的に設けているため、利用者がこれをひじ掛けとしても利用することができる。
【００４５】
第２机部２２は、背部１５とは反対側の位置に、飲料を起立状態で保持可能なホルダ部３４を有する。この構成によれば、固定的に設けられた第２机部２２にホルダ部３４が設けられるため、机部２１の回動に伴い飲料をこぼしてしまう危険性を防止することができる。
【００４６】
第２机部２２は、机部２１に対向する位置に湾曲面３５を有し、机部２１は、湾曲面３５に沿った円弧面３１を有し、円弧面３１の中央部を中心に水平面内で回動自在である。
【００４７】
この構成によれば、机部２１と第２机部２２との間の境界を円弧状にすることで、水平面内で机部２１が回動する場合でも、机部２１と第２机部２２との間の隙間を一定に保つことができる。これによって、机部２１および第２机部２２上に載置した物品がそれらの隙間を介して落下することを防止できるとともに、机部２１がいかなる位置にある場合でも椅子１１の体裁を良好に維持することができる。
【００４８】
第２机部２２は、電源コンセント３３を有する。この構成によれば、固定的に設けられた第２机部２２に電源コンセント３３を設けているために、机部２１の回動に際して電源コンセント３３の配線が利用者の邪魔になることがない。また、利用者は、第２机部２２に載置したスマートフォン等を円滑に充電することができる。
【００４９】
パーティション部１７のうち少なくとも背部１５は、クッション性のある素材で構成される。この構成によれば、背部１５を延長された背もたれ１３として利用することができる。これによって、利用者が椅子１１に腰かけた状態でさらにリラックスすることができる。
【００５０】
パーティション部１７の一対の側部１６は、クッション性のある素材で構成される。この構成によれば、利用者が頭部を側部１６に当てて休む場合でも、側部１６でクッション性を発揮することができる。これによって、利用者が椅子１１に腰かけた状態でさらにリラックスすることができる。また、利用者が椅子１１に着席したり椅子１１から離席したりする際に、誤って頭部を側部１６にぶつけてしまった場合でも、利用者がけがをしてしまう恐れがない。
【００５１】
以下の実施形態では、主として第１実施形態と異なる部分について説明し、第１実施形態と共通する部分については、図示又は説明を省略する。
［第２実施形態］
【００５２】
図８〜図１１を参照して、第２実施形態の椅子１１について説明する。第２実施形態において、机部２１の形状が異なり且つ机部２１がヒンジ部５１を介して縦方向に回動自在に構成されている点、第２机部２２の形状が異なる点、支持フレーム２６の構成が異なる点、およびホルダ部３４が机部２１に設けられている点、が第１実施形態と異なっているが、他の部分は第１実施形態と共通している。
【００５３】
机部２１は、ヒンジ部５１を介してパーティション部１７の一対の側部１６のいずれか一方に対して回動可能に固定されている。机部２１は、一対の側部１６のいずれか一方（例えば、左側部１６Ａ）の近傍に設けられている。ヒンジ部５１は、例えば、周知の蝶番等によって構成されている。蝶番の一方は、パーティション部１７の一対の側部１６のいずれか一方（例えば、左側部１６Ａ）の内部の板材（芯材）に対してねじ等の固定具によって固定されている。蝶番の他方は、机部２１の末端に対してねじ等の固定具によって固定されている。したがって、机部２１は、ヒンジ部５１を中心に上下方向に回動することができる。机部２１は、図８、図９に示すように、背もたれ１３に対向した第１位置Ｐ１と、図１０、図１１に示すように背もたれ１３から離間した第２位置Ｐ２と、の間で回動可能である。
【００５４】
机部２１は、第１実施形態と異なり、円弧面３１を有しない。机部２１は、例えば木製材料によって略台形の平板状に形成されている。机部２１は、略台形の先端部３２を有する。机部２１の先端部は、一対の側部１６のいずれか一方から遠ざかるにつれて机部２１の長手方向Ｌと交差する幅方向Ｗに関する寸法が小さくなるように形成されている。机部２１は、背部１５から遠い位置の角部に飲料を起立状態で保持できるホルダ部３４を有する。
【００５５】
支持フレーム２６は、ロッド状に形成されたフレーム本体４１と、基板２５に対してフレーム本体４１を固定している一対の支柱４３と、を有する。図１０に示すように、フレーム本体４１は、第１位置Ｐ１にある机部２１に下方から当接して、第１位置Ｐ１にある机部２１を下側から支持することができる。
【００５６】
第２机部２２は、机部２１の頂面と面一になった第２頂面を有する。第２机部２２は、例えば木製材料によって略台形の平板状に形成されている。第２机部２２は、机部２１に対向する対向面５２を有する。対向面５２は、パーティション部１７の一対の側部１６のいずれか一方（例えば、左側部１６Ａ）から遠ざかるにつれて背部１５から遠くなるように斜めになっている。第２机部２２は、支持フレーム２６に対して固定されている。
【００５７】
続いて、図８から図１１を参照して、本実施形態の椅子１１の作用について説明する。
【００５８】
図８、図９は、利用者が椅子１１に着席している状態を示している。図８、図９に示すように、机部２１は、背もたれ１３に対向した第１位置Ｐ１に配置されている。このとき、机部２１の先端部３２は、一対の側部１６のいずれか一方から遠ざかるにつれて机部２１の長手方向Ｌと交差する幅方向Ｗに関する寸法が小さくなっている。このため、机部２１が第１位置Ｐ１にあるときに、机部２１の先端部３２の内側面が利用者の胴部と干渉してしまうことが回避される。座面１２は、背部１５に近づくにつれてその設置高さが低くなるように斜めに設置されているため、利用者が椅子１１に対して深く腰掛けることができる。パーティション部１７は、利用者の後背位置と、利用者の側部と、を取り囲むことができるため、利用者に安心感を与えることができ、椅子１１に腰掛けた状態で利用者がリラックスすることができる。また、パーティション部１７の背部１５および一対の側部１６のそれぞれは、発泡ウレタン等のクッション性のある素材で構成されるため、これらを延長された背もたれとすることができる。このため、利用者がこのパーティション部１７に頭をもたれかけることで、首を休ませることができ、利用者はさらにリラックスすることができる。
【００５９】
利用者は、この状態で、机部２１の上側に本を置いたり、メモを取ったり、或いはスマートフォンを用いてＷＥＢの閲覧をしたりすることができる。また、利用者は、第２机部２２をひじ掛けとして用いることができる。利用者は、椅子１１に着席した状態で、飲料を飲んだり、或いは、飲料が入ったカップやボトルを机部２１のホルダ部３４に差し入れてこれを固定したりすることができる。利用者は、さらに第２机部２２に設けられた電源コンセント３３を用いてスマートフォン等を充電することもできる。
【００６０】
利用者が離席したい場合には、手によって机部２１を上方に向けて持ち上げる。これによって、机部２１がヒンジ部５１を中心に上方に向けて回動し、背もたれ１３に対向した第１位置Ｐ１から、図１０、図１１に示す背もたれ１３から離間した第２位置Ｐ２に移動する。
【００６１】
図１１に示すように、机部２１が第２位置Ｐ２に移動すると、椅子本体１４（座面１２）の前方にスペースが形成され、このスペースを介して利用者が離席することができる。利用者又は別の利用者が椅子に対して着席した場合には、利用者が手によって机部２１を第２位置Ｐ２から第１位置Ｐ１に回動させることで、使用可能な位置に机部２１を移動させることができる。これによって、利用者は、机部２１の上側に本を置いたり、メモを取ったり、或いはスマートフォンを用いてＷＥＢの閲覧をしたりすることができる。
【００６２】
上記した実施形態は、種々の置き換えや変形を加えて実施できる。また、異なる実施形態を適宜に組み合わせて一つの発明を構成することも当然にできる。
【符号の説明】
【００６３】
１１                椅子
１２                座面
１３                背もたれ
１４                椅子本体
１５                背部
１６                側部
１７                パーティション部
Ｐ１                第１位置
Ｐ２                第２位置
２１                机部
２２                第２机部
２３                フレーム部
２４                脚部
２５                基板
３１                円弧面
３３                電源コンセント
３５                湾曲面
４４                第１部分
４５                第２部分
５１                ヒンジ部
【図１】
0003234095.tif 000003
【図２】
0003234095.tif 000004
【図３】
0003234095.tif 000005
【図４】
0003234095.tif 000006
【図５】
0003234095.tif 000007
【図６】
0003234095.tif 000008
【図７】
0003234095.tif 000009
【図８】
0003234095.tif 000010
【図９】
0003234095.tif 000011
【図１０】
0003234095.tif 000012
【図１１】
0003234095.tif 000013